(57)【要約】本発明の骨手術用圧迫器具（１）は、一端に凸状の略球面からなる押圧面（３ｃ）を有する略柱状の加圧部材（３）と、骨の側面に係合する鉤状に形成され、一端に、押圧面（３ｃ）を他端側に向けて加圧部材（３）を支持する支持部（５）を有し、他端に、支持部（５）側へ向かって突出し骨の側面に食い込む突起部（６）を有するフック部材（２）とを備え、支持部（５）は、加圧部材（３）を突起部（６）側に向かって長手方向に移動可能に支持する。
2018021134.tif 000002
【特許請求の範囲】
【請求項１】
一端に凸状の略球面からなる押圧面を有する略柱状の加圧部材と、
骨の側面に係合する鉤状に形成され、一端に、前記押圧面を他端側に向けて前記加圧部材を支持する支持部を有し、前記他端に、前記支持部側へ向かって突出し前記骨の側面に食い込む突起部を有するフック部材とを備え、
前記支持部が、前記加圧部材を前記突起部側に向かって長手方向に移動可能に支持する骨手術用圧迫器具。
【請求項２】
前記加圧部材が、雄ネジと、該雄ネジの一端に設けられ前記押圧面を有する頭部とを有し、
前記支持部は、前記雄ネジが締結されるネジ孔を有する請求項１に記載の骨手術用圧迫器具。
【請求項３】
前記突起部は、前記加圧部材が移動する軸線の延長線上に位置する請求項１または請求項２に記載の骨手術用圧迫器具。
【請求項４】
前記突起部は、前記加圧部材が移動する軸線の延長線から該延長線に交差する方向にオフセットした位置に位置する請求項１または請求項２に記載の骨手術用圧迫器具。
【請求項５】
前記加圧部材が移動する軸線の延長線と前記フック部材の中間部との間の距離が、１５ｍｍ以上３５ｍｍ以下である請求項１から請求項４のいずれかに記載の骨手術用圧迫器具。
【請求項６】
前記突起部が、尖端を有する錐状の突起を１つ以上有する請求項１から請求項５のいずれかに記載の骨手術用圧迫器具。
【請求項７】
前記フック部材が、前記ネジ孔の内側と前記支持部の外側とを該ネジ孔の径方向に連通するとともに前記ネジ孔の中心軸に沿う方向に形成され、前記ネジ孔内に前記径方向にガイドピンを挿入可能なスリットを有する請求項２に記載の骨手術用圧迫器具。
【請求項８】
前記押圧面を支持する凹状の受け面を有する受部と、該受部を前記骨の側面に固定される骨接合材に接続可能な接続部とを有するプラグを備える請求項１から請求項７のいずれかに記載の骨手術用圧迫器具。
【請求項９】
前記プラグが、前記受け面の略中央に開口しガイドピンが貫通する貫通孔を有する請求項８に記載の骨手術用圧迫器具。
【請求項１０】
前記受部の前記受け面の立体角が、４ステラジアン以上である請求項８または請求項９に記載の骨手術用圧迫器具。
【発明の詳細な説明】
【技術分野】
【０００１】
本発明は、骨手術用圧迫器具に関するものである。
【背景技術】
【０００２】
従来、変形性膝関節症において、例えば膝蓋骨と大腿骨の関節軟骨が損傷している場合に骨切り術が適応される。骨切り術では、骨に切り込みを入れて骨の曲がりを矯正した後に、骨癒合するまでの間、プレート等の骨接合材によって骨を固定する（例えば、特許文献１参照。）。【０００３】
特許文献１には、骨に対して骨接合材を位置決めした状態で骨と骨接合材の両方を保持することができる骨保持器が開示されている。この骨保持器によれば、骨接合材を骨に固定するためのスクリュを、骨接合材を支持する支持部に形成された貫通孔を通して、骨と骨接合材とを保持した状態で骨に打ち込むことができるので、骨接合材の骨への固定作業を容易に行うことができる。
【先行技術文献】
【特許文献】
【０００４】
【特許文献１】特許第４４９３６１８号公報
【発明の概要】
【発明が解決しようとする課題】
【０００５】
骨接合材を骨に固定する際には、切り込みに形成された骨切り面同士が密着するように骨を矯正する必要があり、そのためには骨切り面同士を引き寄せる方向の骨の長手軸方向の圧迫力を骨切り面の両側において骨に加える必要がある。しかしながら、特許文献１の骨保持器は、骨の径方向の圧迫力を骨と骨接合材に加えて骨と骨接合材とを密着させることはできるが、骨に長手軸方向の力を加えることはできず、骨切り面同士が密着するように骨を矯正することが難しいという問題がある。【０００６】
本発明は、上述した事情に鑑みてなされたものであって、骨の径方向と長手軸方向の両方に圧迫力を加えて、骨と骨接合材および骨の骨切り面同士をそれぞれ密着させることができる骨手術用圧迫器具を提供することを目的とする。
【課題を解決するための手段】
【０００７】
上記目的を達成するため、本発明は以下の手段を提供する。
本発明の一態様は、一端に凸状の略球面からなる押圧面を有する略柱状の加圧部材と、骨の側面に係合する鉤状に形成され、一端に、前記押圧面を他端側に向けて前記加圧部材を支持する支持部を有し、前記他端に、前記支持部側へ向かって突出し前記骨の側面に食い込む突起部を有するフック部材とを備え、前記支持部が、前記加圧部材を前記突起部側に向かって長手方向に移動可能に支持する骨手術用圧迫器具である。【０００８】
本発明の上記態様によれば、切り込みが形成された骨の側面に切り込みを跨ぐように骨接合材を配置した後に、フック部材の両端に設けられた突起部および支持部が骨および骨接合材を骨の径方向に挟むようにフック部材を骨の側面に係合し、突起部を骨の側面に食い込ませることで突起部を骨の側面に固定し、支持部によって支持された加圧部材を突起部側へ向かって移動させて押圧面によって骨接合材を骨に向かって押圧する。これにより、突起部と加圧部材との間に挟まれた骨および骨接合材に骨の径方向の圧迫力を加えて骨と骨接合材とを密着させることができる。【０００９】
この場合に、骨および骨接合材に加えられる圧迫力の方向は、加圧部材の移動方向であるその長手方向に一致する。したがって、加圧部材の長手方向が骨の長手軸方向に対して傾斜するようにフック部材を骨の側面に係合することで、骨の径方向と長手軸方向の両方の圧迫力を骨および骨接合材に加えて、骨と骨接合材および骨の骨切り面同士をそれぞれ密着させることができる。【００１０】
また、骨の長手軸方向に対して加圧部材が傾斜するようにフック部材を骨に係合させた状態においても、フック部材の他端に設けられた突起部を骨の側面に固定することで、突起部と加圧部材との間の骨と骨接合材に大きな圧迫力を安定的に加えることができる。また、骨接合材に接する押圧面が略球面状であるので、骨接合材に対して押圧面を同じ位置で回転させて突起部を骨の長手軸方向にずらすことで、フック部材の向きを容易に変更することができる。【００１１】
上記態様においては、前記加圧部材が、雄ネジと、該雄ネジの一端に設けられ前記押圧面を有する頭部とを有し、前記支持部は、前記雄ネジが締結されるネジ孔を有していてもよい。
このようにすることで、ネジ孔内での雄ネジの回転が軸部の長手方向の移動に変換されるので、雄ネジの移動量の微調整が容易になり、骨および骨接合材に加える圧迫力の制御が容易になる。【００１２】
上記態様においては、前記突起部は、前記加圧部材が移動する軸線の延長線上に位置していてもよい。
このようにすることで、骨接合材に加圧部材の長手方向の押圧力のみを加えることができる。【００１３】
上記態様においては、前記突起部は、前記加圧部材が移動する軸線の延長線から該延長線に交差する方向にオフセットした位置に位置していてもよい。
このようにすることで、加圧部材の長手方向の押圧力に加えて、加圧部材の長手方向に交差し突起部のオフセット方向とは反対方向のモーメントも骨接合材に加えて、骨接合材を、骨に近接する方向のみならず、突起部のオフセット方向とは反対方向にも移動させることができる。【００１４】
上記態様においては、前記加圧部材が移動する軸線の延長線と前記フック部材の中間部との間の距離が、１５ｍｍ以上３５ｍｍ以下であってもよい。
このようにすることで、フック部材の寸法を、大腿骨や脛骨等の大きな骨に好適な寸法とすることができる。【００１５】
上記態様においては、前記突起部が、尖端を有する錐状の突起を１つ以上有していてもよい。
このようにすることで、骨の表面を覆う硬い皮質骨にも突起の尖端を食い込ませて容易に突起部を固定することができる。【００１６】
上記態様においては、前記フック部材が、前記ネジ孔の内側と前記支持部の外側とを該ネジ孔の径方向に連通するとともに前記ネジ孔の中心軸に沿う方向に形成され、前記ネジ孔内に前記径方向にガイドピンを挿入可能なスリットを有していてもよい。
このようにすることで、骨に予め挿入されたガイドピンに対してフック部材を容易に配置することができる。【００１７】
上記態様においては、前記押圧面を支持する凹状の受け面を有する受部と、該受部を前記骨の側面に固定される骨接合材に接続可能な接続部とを有するプラグを備えていてもよい。
このようにすることで、骨接合材に接続されたプラグの受部の受け面内に押圧面を嵌めることで、骨接合材に押圧面を直接押し当てる場合と比べて、骨接合材に対する押圧面の位置を安定させることができ、押圧面から骨接合材へ押圧力をより効率的に加えることができる。【００１８】
上記態様においては、前記プラグが、前記受け面の略中央に開口しガイドピンが貫通する貫通孔を有していてもよい。
このようにすることで、骨に挿入されたガイドピンを骨接合材、プラグおよび加圧部材に貫通させることで、骨に対して骨接合材、プラグおよび加圧部材の位置を安定させることができる。プラグの貫通孔の直径は、骨切り術で一般に使用されるガイドピンの直径を考慮して、２ｍｍ以上であることが好ましい。【００１９】
上記態様においては、前記受部の前記受け面の立体角が、４ステラジアン以上であってもよい。
このようにすることで、頭部の軸部とは反対側の面を受け面によってより安定的に支持することができ、加圧部材から骨接合材へ確実に押圧力を加えることができる。頭部の外面の半分以上を受け面で支持することができるように、受け面の立体角は２πステラジアン以上であることがより好ましい。
【発明の効果】
【００２０】
本発明によれば、骨の径方向と長手軸方向の両方に圧迫力を加えて、骨と骨接合材および骨の骨切り面同士をそれぞれ密着させることができるという効果を奏する。
【図面の簡単な説明】
【００２１】
【図１Ａ】本発明の一実施形態に係る骨手術用圧迫器具を使用した高位脛骨骨切り術を説明する図である。
【図１Ｂ】図１Ａの脛骨を骨プレート側から見た図である。
【図１Ｃ】本発明の一実施形態に係る骨手術用圧迫器具を使用した高位脛骨骨切り術を説明する図である。
【図１Ｄ】本発明の一実施形態に係る骨手術用圧迫器具を使用した高位脛骨骨切り術を説明する図である。
【図２】本発明の一実施形態に係る骨手術用圧迫器具の全体構成を示す側面図である。
【図３】図２の骨手術用圧迫器具のフック部材の突起部の斜視図である。
【図４】フック部材の突起部の変形例の斜視図である。
【図５】フック部材の突起部の他の変形例の斜視図である。
【図６】図２の骨手術用圧迫器具によって脛骨および骨プレートに加える圧迫力の方向を変更する方法を説明する図である。
【図７】図２の骨手術用圧迫器具の変形例をガイドピンと組み合わせて使用する方法を説明する図である。
【図８】スリットが設けられたフック部材の変形例の斜視図である。
【図９】スリットが設けられたフック部材の他の変形例の斜視図である。
【図１０】図２の骨手術用圧迫器具の変形例において設けられるプラグの側面図である。
【図１１】フック部材の他の変形例の側面図である。
【図１２】加圧部材および加圧手段の変形例を示す図である。
【発明を実施するための形態】
【００２２】
以下に、本発明の一実施形態に係る骨手術用圧迫器具１について図面を参照して説明する。
本実施形態に係る骨手術用圧迫器具１は、図１Ａから図１Ｄに示されるように、脛骨Ｘの外側から骨片を切除し、骨片の切除部位Ｙを閉じることで脛骨Ｘの変形を矯正し、脛骨Ｘを骨プレート（骨接合材）１０で固定するクローズドウェッジ法による高位脛骨骨切り術（ＣＷＨＴＯ）において使用されるものである。図１Ａから図１Ｄには、クローズドウェッジ法と、脛骨Ｘの内側面に切り込みを形成して切り込みを開大するオープンウェッジ法とを組み合せたハイブリッドＨＴＯの例を示している。
【００２３】
骨プレート１０は、図１Ｂに示されるように、脛骨Ｘの側面に脛骨Ｘの長手軸に沿う方向に配置される細長い帯板状の部材である。骨プレート１０には、骨プレート１０を脛骨Ｘに固定するためのスクリュ２０が挿入される複数のネジ孔１０ａが長手方向に間隔をあけて設けられている。符号３０は、ドリルスリーブを示している。
【００２４】
本実施形態に係る骨手術用圧迫器具１は、図２に示されるように、脛骨Ｘの側面に係合するフック部材２と、骨プレート１０を脛骨Ｘの側面へ向けて押圧して脛骨Ｘと骨プレート１０に圧迫力を加えるための押しネジ（加圧部材）３とを備えている。フック部材２および押しネジ３は、チタンやステンレスのような高強度の金属から形成されている。
【００２５】
フック部材２は、略鉤状に湾曲し脛骨Ｘの側面に係合可能な湾曲部４と、湾曲部４の一端に設けられ押しネジ３を支持する支持部５と、湾曲部４の他端に設けられ脛骨Ｘの側面に固定可能な突起部６とを備えている。
【００２６】
湾曲部４は、細長い柱状の部材からなり、脛骨Ｘの外側から内側まで脛骨Ｘの側面を略半周にわたって囲む略鉤状に湾曲している。湾曲部４を脛骨Ｘの側面に周方向に沿って係合させた状態で、支持部５は脛骨Ｘの外側に配置され、突起部６は脛骨Ｘの内側に配置される。
【００２７】
支持部５は、長手方向に貫通し内面にネジ溝が形成された円柱状のネジ孔５ａを有する筒状である。ネジ孔５ａは、湾曲部４の一端と他端とを結ぶ線に沿って延びており、ネジ孔５ａの中心軸（軸線）Ａの延長線上に突起部６が位置している。脛骨Ｘや大腿骨等の太い骨に湾曲部４を係合させたときに押しネジ３が骨の外側面に対して圧迫に適した位置に配置されるように、湾曲部４の一端と他端との中間部と、ネジ孔５ａの中心軸Ａの延長線との間の距離Ｄは、１５ｍｍ以上３５ｍｍ以下であることが好ましい。
【００２８】
突起部６は、湾曲部４の他端から支持部５側へ向かって突出している。図３に示されるように、突起部６の先端の中央にはＶ字状の溝が形成されており、これにより、突起部６の先端には、尖端６ｂをそれぞれ有する２つの錐状の突起６ａが形成されている。突起６ａの尖端６ｂを脛骨Ｘの側面に食い込ませることで、突起部６を脛骨Ｘに対して固定することができるようになっている。
【００２９】
突起部６の先端に設けられる突起６ａの数は、２個に限定されるものではなく、１個のみまたは３個以上であってもよい。例えば、図４に示されるように、比較的大きな１個の突起６ａが設けられていてもよく、図５に示されるように、円形に配列された３個以上の突起６ａが設けられていてもよい。
【００３０】
押しネジ３は、真っ直ぐな円柱状の軸部３ａと、軸部３ａの一端に設けられた略球状の頭部３ｂとを備えている。頭部３ｂの、軸部３ａとは反対側の面は、骨プレート１０のネジ孔１０ａ内に嵌められ骨プレート１０に押圧力を与える押圧面３ｃであり、凸状の略球面に形成されている。
【００３１】
軸部３ａは、側面にネジ山が形成され支持部５のネジ孔５ａに締結可能な雄ネジであり、頭部３ｂの押圧面３ｃが突起部６側を向くようにネジ孔５ａ内に締結されている。軸部３ａがその中心軸回りに回転することで押しネジ３がネジ孔５ａの中心軸（軸線）上を長手方向に移動し、頭部３ｂが、突起部６に接近または離間する方向にネジ孔５ａの中心軸Ａの延長線上を移動するようになっている。
【００３２】
次に、このように構成された骨手術用圧迫器具１の作用について説明する。
本実施形態に係る骨手術用圧迫器具１を用いてハイブリッドＨＴＯ法により変形性膝関節症を治療するためには、脛骨Ｘの高位外側面から内側に向かって、脛骨Ｘの長手軸に対して傾斜する方向に２つの切り込みを形成し、２つの切り込み間の骨片を所定の器具を用いて除去する。次に、図１Ａおよび図１Ｂに示されるように、骨片の切除部位Ｙを跨ぐように脛骨Ｘの外側面に骨プレート１０を配置し、切除部位Ｙよりも高位側において骨プレート１０の上端部を脛骨Ｘにスクリュ２０で固定する。
【００３３】
次に、図１Ｃに示されるように、フック部材２の湾曲部４を脛骨Ｘの側面に係合させ、突起６ａの尖端６ｂを脛骨Ｘの内側面に食い込ませることで突起部６を脛骨Ｘの内側面に固定する。また、脛骨Ｘの外側面と支持部５との間に骨プレート１０が挟まれるように、押しネジ３を支持した支持部５を配置する。
【００３４】
続いて、切除部位Ｙよりも低位側に位置するネジ孔１０ａ内に頭部３ｂの押圧面３ｃを嵌め、軸部３ａを回転させることで押しネジ３を骨プレート１０側へ進ませる。これにより、頭部３ｂと突起部６との間の距離が縮まり、頭部３ｂと突起部６との間に挟まれた脛骨Ｘと骨プレート１０は、頭部３ｂと突起部６とによって互いに接近する方向に圧迫される。このときに、押しネジ３が移動するネジ孔５ａの中心軸Ａの延長線上に突起部６が位置するので、脛骨Ｘと骨プレート１０には押しネジ３の移動方向であるネジ孔５ａの中心軸Ａ方向の圧迫力のみが加えられ、中心軸Ａ方向にのみ脛骨Ｘと骨プレート１０が移動する。
図１Ｄに示されるように、骨プレート１０が脛骨Ｘの外側面に密着するまで軸部３ａを回転させた後、骨プレート１０の残りのネジ孔１０ａにスクリュ２０を挿入して骨プレート１０を脛骨Ｘに固定する。
【００３５】
この場合に、脛骨Ｘと骨プレート１０との位置合わせに際して、図１Ｄに示されるように、脛骨Ｘの切除部位Ｙにおける２つの骨切り面Ｙ１，Ｙ２が互いに密着するように、切除部位Ｙの高位側および低位側に位置する脛骨Ｘの２つの部分Ｘ１，Ｘ２の位置合わせも行う必要がある。すなわち、脛骨Ｘの高位側部分Ｘ１と低位側部分Ｘ２とを互いに引き寄せるように長手軸方向の圧迫力を脛骨Ｘに加える必要がある。
【００３６】
本実施形態によれば、上述したように、脛骨Ｘおよび骨プレート１０に加えられる圧迫力の方向はネジ孔５ａの中心軸Ａ方向に一致するので、図６に示されるように、脛骨Ｘの長手軸に対するネジ孔５ａの中心軸Ａの傾斜角度を調整することで、圧迫力の方向を容易に所望の方向に制御することができる。
【００３７】
すなわち、脛骨Ｘの長手軸に対してネジ孔５ａの中心軸Ａが傾斜するようにフック部材２を配置することで、脛骨Ｘおよび骨プレート１０に、脛骨Ｘの長手軸に傾斜する方向の圧迫力を加えて、脛骨Ｘと骨プレート１０を互いに引き寄せる方向の脛骨Ｘの径方向の圧迫力と同時に、脛骨Ｘの高位側部分Ｘ１と低位側部分Ｘ２を互いに引き寄せる方向の長手軸方向の圧迫力を発生させることができる。脛骨Ｘの長手軸に対するネジ孔５ａの中心軸Ａの傾斜角度を大きくすることで、長手軸方向の圧迫力はより大きくなる。このようにして、脛骨Ｘと骨プレート１０とが近接する方向および骨切り面Ｙ１，Ｙ２同士が近接する方向に同時に圧迫力を加えることで、骨切り面Ｙ１，Ｙ２間に隙間が生じないように、脛骨Ｘの高位側部分Ｘ１および低位側部分Ｘ２と、骨プレート１０との３者の相対位置を調整することができるという利点がある。
【００３８】
また、圧迫力の方向を変更するためには、脛骨Ｘに食い込んでいる尖端６ｂを一度脛骨Ｘから離し、突起部６の位置を脛骨Ｘの長手軸方向にずらした後に尖端６ｂを再び脛骨Ｘに食い込ませるだけでよい。このときに、頭部３ｂの押圧面３ｃが球状であるので、ネジ孔１０ａ内で頭部３ｂを回転させることで頭部３ｂを支点として突起部６の位置を容易にずらすことができる。このように、脛骨Ｘおよび骨プレート１０に加える圧迫力の方向を容易に変更することができるという利点がある。
【００３９】
また、脛骨Ｘの高位側部分Ｘ１および低位側部分Ｘ２と、骨プレート１０との位置合わせが一度で成功しなかった場合には、軸部３ａを逆方向に回転させて押しネジ３を骨プレート１０とは反対側へ後退させることで、圧迫操作を容易にやり直すことができるという利点がある。
【００４０】
本実施形態においては、図７に示されるように、骨手術用圧迫器具１を、スクリュ２０のガイドピン４０と組み合わせ使用することができるように、押しネジ３に、軸部３ａの中心軸に沿って貫通し、ガイドピン４０が貫通可能な貫通孔３ｄが形成されていてもよい。ＨＴＯにおいて一般に使用されるガイドピン４０の直径を考慮して、貫通孔３ｄの直径は２ｍｍ以上であることが好ましい。
このようにすることで、貫通孔３ｄ内に挿入されたガイドピン４０に沿って押しネジ３が案内されるので、脛骨Ｘおよび骨プレート１０に対する押しネジ３の位置および向きを安定させることができる。
【００４１】
さらに、図８に示されるように、ガイドピン４０を支持部５内に径方向に挿脱するためのスリット２ａがフック部材２に形成されていてもよい。スリット２ａは、ネジ孔５ａの内部と支持部５の外部とを連通するように支持部５の外周面から内周面まで貫通し、長手方向に全長にわたって形成されている。
このようなスリット２ａを有するフック部材２によれば、ガイドピン４０を脛骨Ｘに挿入した後に、スリット２ａを介してガイドピン４０を支持部５内に挿入することで、フック部材２を脛骨Ｘおよび骨プレート１０に対して簡単に配置することができる。
【００４２】
スリット２ａは、図９に示されるように、湾曲部４を介してネジ孔５ａ内にガイドピン４０を挿脱するように形成されていてもよい。すなわち、湾曲部４および突起部６を２つに分割するように突起部６の先端からネジ孔５ａまでの全長にわたってスリット２ａが形成されていてもよい。
【００４３】
本実施形態においては、押しネジ３の頭部３ｂを骨プレート１０のネジ孔１０ａ内に直接嵌めることとしたが、これに代えて、図７に示されるように、ネジ孔１０ａに取り付け可能であり頭部３ｂを支持するプラグ７をさらに備えていてもよい。
プラグ７は、図１０に示されるように、骨プレート１０のネジ孔１０ａに締結可能な雄ネジからなる接続部７ａと、接続部７ａの一端側に設けられ頭部３ｂを受け入れる受部７ｂとを備えている。受部７ｂは、接続部７ａとは反対側に、頭部３ｂの略球状の押圧面３ｃと相補的な凹状の略球面からなり押圧面３ｃを支持する受け面７ｃを有している。
【００４４】
骨プレート１０のネジ孔１０ａに接続部７ａが取り付けられたプラグ７の受け面７ｃに頭部３ｂを嵌めることで、頭部３ｂの押圧面３ｃから受け面７ｃを介して骨プレート１０へ圧迫力を効率良く伝達することができる。
受け面７ｃの立体角は４ステラジアン以上であることが好ましく、２πステラジアン以上であることがより好ましい。このようにすることで、頭部３ｂの押圧面３ｃを受け面７ｃによって安定的に支持することができ、圧迫力の向きの調整に際して受け面７ｃ内で頭部３ｂを回転させたときに頭部３ｂが受け面７ｃ内から外れてしまうことを防止することができる。
受け面７ｃの形状は、必ずしも凹球面に限定されるものではなく、頭部３ｂの押圧面３ｃに外接する他の形状、例えば多面体形状であってもよい。
【００４５】
プラグ７をガイドピン４０と組み合わせて使用することができるように、プラグ７には、ガイドピン４０が貫通可能な貫通孔７ｄが形成されていてもよい。貫通孔７ｄは、接続部７ａの中心軸に沿ってプラグ７を貫通しており、受け面７ｃの中央に開口している。貫通孔７ｄの直径は、押しネジ３の貫通孔３ｄの直径と同様に、２ｍｍ以上であることが好ましい。
このようにすることで、ネジ孔１０ａおよび貫通孔７ｄ，３ｄを貫通するガイドピン４０によって、骨プレート１０、プラグ７および押しネジ３の脛骨Ｘに対する位置をより安定させることができる。
【００４６】
本実施形態においては、ネジ孔５ａの中心軸Ａの延長線上に突起部６が位置することとしたが、これに代えて、図１１に示されるように、ネジ孔５ａの中心軸Ａの延長線から該延長線に交差する方向にオフセットした位置に突起部６が位置していてもよい。
この場合、骨プレート１０には、ネジ孔５ａの中心軸Ａに交差し突起部６のオフセット方向とは反対方向のモーメントが作用する。このモーメントによって、脛骨Ｘに対して骨プレート１０を該骨プレート１０の幅方向にも移動させて骨プレート１０の位置調整を行うことができる。
【００４７】
本実施形態においては、押しネジ３を進退させるための駆動力として、術者の人力を使用することとしたが、これに代えて、油圧または水圧を利用して押しネジ３を移動させてもよく、電動モータを使用してもよい。
また、本実施形態においては、骨プレート１０を押圧して圧迫力を発生させるための加圧部材として、押しネジ３を使用することとしたが、これに代えて、他の加圧部材を使用してもよい。例えば、図１２に示されるように、加圧部材３１が、雄ネジ３ａに代えて、滑らかな側面を有する軸部３１ａを備えていてもよい。この場合、支持部５１は、ネジ孔５ａに代えて、滑らかな内面を有し加圧部材の軸部３１ａが長手方向に移動可能に嵌合するガイド穴５１ａを有していてもよい。軸部３１ａは、術者の所定の運動を軸部３１ａの長手方向の運動に変換する器具を使用して駆動されてもよい。
【００４８】
例えば、図１２に示されるように、操作者がグリップ５０ａを把持したときのグリップ５０ａの揺動運動を軸部３１ａの長手方向の運動に変換する器具５０を使用してもよい。操作者がグリップ５０ａに加えた力Ｆｉと、加圧部材３１に作用する力Ｆｏとの間には下記のような関係が成り立つように構成されていることが好ましい。
Ｆｏ＝Ｆｉ×α    （α≧１）
すなわち、器具５０は、グリップ５０ａに与えられた力Ｆｉを増幅して加圧部材３１に伝達するように、構成されていることが好ましい。
グリップ５０ａが意図せずに反対方向に戻ることがないように、グリップ５０ａの戻りを防止するための機構が設けられていてもよい。このようにすることで、安定的に圧迫力を脛骨Ｘおよび骨プレート１０に加え続けることができる。
【符号の説明】
【００４９】
１  骨手術用圧迫器具
２  フック部材
２ａ  スリット
３  押しネジ（加圧部材）
３ａ  軸部
３ｂ  頭部
３ｃ  押圧面
３ｄ  貫通孔
４  湾曲部
５  支持部
５ａ  ネジ孔
６  突起部
６ａ  突起
６ｂ  尖端
７  プラグ
７ａ  接続部
７ｂ  受部
７ｃ  受け面
７ｄ  貫通孔
１０  骨プレート（骨接合材）
１０ａ  ネジ孔
２０  スクリュ
３０  ドリルスリーブ
４０  ガイドピン
Ａ  ネジ孔の中心軸（軸線）
Ｘ  脛骨
Ｘ１  高位側部分
Ｘ２  低位側部分
Ｙ  骨片の切除部位
Ｙ１，Ｙ２  骨切り面
【図１Ａ】
2018021134.tif 000003
【図１Ｂ】
2018021134.tif 000004
【図１Ｃ】
2018021134.tif 000005
【図１Ｄ】
2018021134.tif 000006
【図２】
2018021134.tif 000007
【図３】
2018021134.tif 000008
【図４】
2018021134.tif 000009
【図５】
2018021134.tif 000010
【図６】
2018021134.tif 000011
【図７】
2018021134.tif 000012
【図８】
2018021134.tif 000013
【図９】
2018021134.tif 000014
【図１０】
2018021134.tif 000015
【図１１】
2018021134.tif 000016
【図１２】
2018021134.tif 000017
【国際調査報告】
2018021134.tif 000018
2018021134.tif 000019
2018021134.tif 000020
2018021134.tif 000021